(57)【要約】【課題】着用したキャッチャーの背中を保護し、プレー中の安全性を高めて怪我を防止するプロテクターを提供することを目的とする。【解決手段】プロテクター本体１と、背保護パット２とを、具備する。背保護パット２は、人体の両肩28，28の後側部28ａ，28ａと、後側部28ａ，28ａに相当する高さから肩甲骨の下部付近に相当する高さの上下範囲の所定背骨領域を覆うＴ字状乃至Ｙ字状に形成される。そして、背保護パット２は、内面に複数の左右方向の突条部が形成されている。また、プロテクター本体１は、裏面10に複数の左右方向の突条部15…が形成されている。【選択図】図１
2008121143.tif 000002
【特許請求の範囲】
【請求項１】
プロテクター本体（１）と、背保護パット（２）とを、具備し、該背保護パット（２）は、人体の両肩（28)(28）の後側部（28ａ)(28ａ）と、該後側部（28ａ)(28ａ）に相当する高さから肩甲骨（70）の下部（70ａ）付近に相当する高さの上下範囲（Ｈ）の所定背骨領域（８）を覆うＴ字状乃至Ｙ字状に形成され、該背保護パット（２）は、内面（20）に複数の左右方向の突条部（５）が形成されていることを特徴とするプロテクター。
【請求項２】
上記プロテクター本体（１）は、裏面（10）に複数の左右方向の突条部（15）が形成されている請求項１記載のプロテクター。
【請求項３】
上記背保護パット（２）の各上記突条部（５）は、横断面山型を有し、かつ、上下隣り合う上記突条部（５)(５）の間には、左右方向へ連続する凹溝（７）が形成された請求項１記載のプロテクター。
【請求項４】
上記プロテクター本体（１）の各上記突条部（15）は、横断面山型を有し、かつ、上下隣り合う上記突条部（15)(15）の間には、左右方向へ連続する凹溝（17）が形成された請求項２記載のプロテクター。
【請求項５】
人体の腰（27）の後部を覆う腰パット（３）を備え、該腰パット（３）と上記背保護パット（２）とを、保持間隔を変更自在として、連結ベルト（39）で連結した請求項１，２，３又は４記載のプロテクター。
【発明の詳細な説明】
【技術分野】
【０００１】
本発明は、スポーツ用プロテクターに関するものである。
【背景技術】
【０００２】
従来、野球やソフトボール等のスポーツでキャッチャーが使用するプロテクターとして、プロテクター本体の両肩部に肩ベルトを繋ぎ、また、プロテクター本体の腰部の左右側部を腰ベルトで繋いで、かつ、肩ベルトと腰ベルトとを上下方向のベルトで連結して、プロテクター本体をキャッチャーの上半身に着けるものが知られている（例えば、特許文献１参照）。
【特許文献１】実用新案登録第３０７０２４０号公報
【発明の開示】
【発明が解決しようとする課題】
【０００３】
従来のこのようなプロテクターは、ホームベース上でのランナーとクロスプレーになった際や、キャッチャーフライを捕球する際に、仰向けに転倒して背中を激しく打ちつけて怪我をする虞れがあり、非常に危険である。また、打者がバットを空振りして振り抜いた場合に、バットの先端がキャッチャーの背中に背後から強打する虞れもあり、この場合も背中に大怪我をする危険がある。
【０００４】
そこで、本発明は、キャッチャーの背中を保護し、プレー中の安全性を高めて怪我を防止するプロテクターを提供することを目的とする。
さらに、激しい動きをしても上半身に対して揺れが抑えられて、スムーズにプレーすることができるプロテクターを提供することを他の目的とする。
【課題を解決するための手段】
【０００５】
上記目的を達成するために、本発明に係るプロテクターは、プロテクター本体と、背保護パットとを、具備し、該背保護パットは、人体の両肩の後側部と、該後側部に相当する高さから肩甲骨の下部付近に相当する高さの上下範囲の所定背骨領域を覆うＴ字状乃至Ｙ字状に形成され、該背保護パットは、内面に複数の左右方向の突条部が形成されているものである。
【０００６】
また、上記プロテクター本体は、裏面に複数の左右方向の突条部が形成されている。
また、上記背保護パットの各上記突条部は、横断面山型を有し、かつ、上下隣り合う上記突条部の間には、左右方向へ連続する凹溝が形成されている。
【０００７】
また、上記プロテクター本体の各上記突条部は、横断面山型を有し、かつ、上下隣り合う上記突条部の間には、左右方向へ連続する凹溝が形成されている。
また、人体の腰の後部を覆う腰パットを備え、該腰パットと上記背保護パットとを、保持間隔を変更自在として、連結ベルトで連結したものである。
【発明の効果】
【０００８】
本発明は、次のような著大な効果を奏する。
本発明に係るプロテクターは、背保護パットが、人体の両肩の後側部と、後側部に相当する高さから肩甲骨の下部付近に相当する高さの上下範囲の所定背骨領域を覆うＴ字状乃至Ｙ字状に形成されているので、着用者であるキャッチャーがプレー中に仰向けになって背中から地面に転倒した場合や、打者が空振りしたバットが背後から強打してきても、背中が背保護パットによって保護されるため、怪我を防ぐことができる。そして、キャッチャーは安心してプレーに専念することができる。
また、背保護パットの内面とプロテクター本体の裏面に複数の左右方向の突条部が形成されており、これらの突条部が、着用者の胸・腹側と背中側に引っ掛かるので、激しい動きをしても、プロテクターが上下に揺れるのが防がれる。よって、プレーをスムーズに行うことができる。
【発明を実施するための最良の形態】
【０００９】
以下、実施の形態を示す図面に基づき、本発明を詳説する。
図１，図３，図４は本発明に係るプロテクターの実施の一形態を示し、このプロテクターは、プロテクター本体１と、背保護パット２と、人体の腰27の後部を覆う腰パット３と、を具備し、野球やソフトボールのキャッチャーに着用される。プロテクター本体１の上側左右の肩掛用突出部11，11と背保護パット２の上側左右の肩対応突出部21，21とが着脱自在に連結され、かつ、プロテクター本体１の下側左右側部40，40と腰パット３の左右端部36，36とが着脱自在に連結され、かつ、腰パット３と背保護パット２とが、保持間隔を変更自在として、連結ベルト39で連結されている。
【００１０】
各部材について説明する。
先ず、図１〜図３，図６において、プロテクター本体１は、胸部・腹部・腰部を覆うボディ部12と、ボディ部12の上部左右から上方へ一体に突出し人体の両肩28，28の前部に対応する略矩形状乃至弯曲状の肩掛用突出部11，11とを有する。各肩掛用突出部11は、その裏面（人体側の面）に、後述する背保護パット２連結用の取着パット片４が取付位置変更自在として着脱される面状ファスナ34が形成されている。この面状ファスナ34は、取着パット片４の面状ファスナ33よりも広く形成される。ボディ部12は、人体の腰27に対応する下側の左右側部40，40の裏面10に、後述する取着パット片６が取付位置変更自在として着脱され（取着パット片６の面状ファスナ43よりも広く形成された）面状ファスナ44が形成されている。
【００１１】
そして、ボディ部12は、裏面10に複数の左右方向又は斜め方向の突条部15…が形成されている。具体的には、複数（実施例は11条）の左右方向の突条部15Ａ…が、人体の肩甲骨70の下部70ａから腰椎73の上部にかけて対応する位置に設けられ、中間（実施例は上から４条目）の突条部15を最長として全体で仮想略菱形を成すように形成される。また、両肩甲骨70，70の下部70ａ，70ａに対応する部位に、左右方向内方へ上傾状の短突条部15Ｂ…が、形成されている。各突条部15は、横断面山型（円弧型）を有する。そして、上下隣り合う突条部15，15の間には、左右方向へ連続する（左右へ開放する）空気流通用の凹溝17が形成されている。各突条部15の上下方向幅寸法Ｄ15は10mm〜14mmに形成され、各凹溝17の幅寸法Ｄ17は２mm〜４mmに形成される。プロテクター本体１は、突条部15と凹溝17を成す裏面材78と、発泡ウレタン材79と、シート状芯材80（省略する場合もある）と、発泡ウレタン材77と、表て面材76とを積層したものである。
【００１２】
次に、図１，図２，図４，図５において、背保護パット２は、人体の両肩28，28の後側部28ａ，28ａと、後側部28ａ，28ａに相当する高さから肩甲骨70の下部70ａ付近に相当する高さの上下範囲Ｈの所定背骨領域８を覆うＴ字状乃至Ｙ字状に形成されている。具体的には、背保護パット２は、頸椎71と胸椎72の境界近傍部位から胸椎72の中間部位（上から６〜10番目に相当する部位）までを左右所定幅で覆う背保護部29と、背保護部29の左右上部に左右外方上傾状に一体に突設され人体の両肩28，28の後側部28ａ，28ａを保護する肩対応突出部21，21とを有する。各肩対応突出部21は略矩形状乃至弯曲形状を有する。また、背保護パット２の左右側辺部は、肩対応突出部21，21から背保護部29にかけて左右幅が小さくなるよう弯曲状に形成されている。
【００１３】
さらに、背保護パット２は、内面20（人体側の面）に複数の左右方向の突条部５…が形成されている。複数の突条部５…は、両肩対応突出部21，21及び背保護部29にかけて全面に形成され、各突条部５は、横断面山型（かまぼこ型）を有する。かつ、上下隣り合う突条部５，５の間には、左右方向へ連続する空気流通用の凹溝７が形成されている。
各突条部５の上下方向幅寸法Ｄ5 は10mm〜14mmに形成され、凹溝７の幅寸法Ｄ7 は２mm〜４mmに形成される。背保護パット２は、突条部５と凹溝７を形成する内面材60と、発泡ウレタン材61と、シート状芯材62（省略する場合もある）と、発泡ウレタン材63と、外面材64とを積層したものである。
【００１４】
また、背保護パット２は、第１（肩部）バックル部材31，31が肩対応突出部21，21に付設されている。具体的には、背保護パット２は、肩対応突出部21，21の外面（内面20の反対面）に、（着用状態での）前方開口状の袋部22が形成（縫製）されている。そして、先端（前端）に第１バックル部材31を付設したゴムベルト35の基端が、袋部22の奥部に固着されている。ゴムベルト35は弾性的に伸縮可能であり、かつ、袋部22内で揺動可能なので、第１バックル部材31は、袋部22から出た位置で移動自在である。
さらに、背保護パット２は、各肩対応突出部21と背保護部29との境界近傍に、各肩対応突出部21を背保護部29に対して折曲自在とするステッチ部24が形成されており、背保護パット２は使用者の背中から肩にかけてフィットして着用される。ステッチ部24は、直線状に２列接近して縫製して形成される。また、背保護部29は、下部に、腰パット３と連結する連結ベルト39の上部が取着（縫製）されている。
【００１５】
次に、図１，図３において、４は、プロテクター本体１の各肩掛用突出部11に取付位置変更自在として面状ファスナ33，34をもって着脱される取着パット片であり、取着パット片４は、第１バックル部材31と係止分離自在な第２（肩部）バックル部材32が付設されている。具体的には、取着パット片４は、表て面の下半分部に、プロテクター本体１の面状ファスナ34と着脱自在な面状ファスナが形成され、かつ、表て面の上半分部に、第２バックル部材32が（着用状態での）後向き（後方から第１バックル部材31が着脱自在に抜差しされる状態）に付設されている。着用状態では、プロテクター本体１の突出部11が後方へ折れ曲がるので、取着パット片４も後側を向く。第２バックル部材32は、揺動自在として取着パット片４に付設（枢着）されており、人体の動きに対し揺動して、背保護パット２が身体の動きに柔軟に追従可能となる。
また、第２バックル部材32は、取着パット片４の外縁から突出しないように（外縁の内側に納まるように）付設されており、破損が防がれる。
【００１６】
次に、図１〜図３において、腰パット３は、上下は腰椎73の上端近傍から下端近傍にかけて、かつ、左右は腰27の左右端にかけて覆う略矩形状を有する。そして、腰パット３は、左右端部36，36に第１腰部バックル部材41，41が設けられる。
腰パット３は、シート状外部材37と内部材38とを袋状に合わせた状態で周囲を縫製して形成されている。かつ、外部材37の左右両端は、内部材38より短く形成されかつ縫製が省略されて、ゴムベルト46が左右方向に通される差込部54，54が形成されている。かつ、腰パット３は、各差込部54から左右方向外側に離間した位置において、内部材38に上下端を固着されたゴム紐等から成る（細長）抜止め用引掛部材55を有する。ゴムベルト46は、内部材38と、左側の引掛部材55・外部材37・右側の引掛部材55との間に通される。そして、ゴムベルト46の端部に設けられた第１腰部バックル部材41，41が引掛部材55に係止することで、不意に抜けるのが防がれる。
【００１７】
また、腰パット３は、背保護パット２と連結するための連結ベルト39が調節自在に保持される調節バックル52を上部中央部位に有する。また、腰パット３は、外部材37と内部材38との縫製が省略され調節バックル52が収納される切れ目53を、上部中央に有する。
また、図示省略するが、腰パット３は、複数の縦方向の膨出部が内面（内面材38の前側面）に形成されている。左右隣り合う膨出部の間には、上下方向へ連続する凹溝が形成されており、人体（ユニホーム）との間に隙間が形成されて通気性がよい。しかも、腰27の後部の形状に沿って弯曲状に曲がり、フィットし易い。
【００１８】
次に、６は、プロテクター本体１の腰対応左右側部40に取付位置変更自在として面状ファスナ43，44をもって着脱される取着パット片である。各取着パット片６は、各第１腰部バックル部材41と係止分離自在な第２腰部バックル部材42が付設されている。
具体的には、取着パット片６は、表て面の左右方向内側部に、プロテクター本体１の面状ファスナ44と着脱自在な面状ファスナ43が形成され、かつ、表て面の外側部（図１の着用状態では側方向きとなる面）に、第２腰部バックル部材42が付設されている。第２腰部バックル部材42は、揺動自在として取着パット片６に付設（枢着）されており、人体の動きに対し揺動して、腰パット３が身体の動きに柔軟に追従可能となる。
また、第２腰部バックル部材42は、取着パット片６の外縁から突出しないように（外縁の内側に納まるように）付設されており、破損が防がれる。
また、取着パット片６は、左右方向中間部位に形成された縦方向のステッチ部45が形成され、腰パット３が使用者の腰27にフィットする。ステッチ部45は、背保護パット２のステッチ部24と同様に形成される。
背保護パット２、腰パット３、各取着パット片４，６、プロテクター本体１は、外周に沿って、保護縁材が折返して挟み状に縫製されており、傷みにくい。
【００１９】
次に、本発明のプロテクターの製法について説明する。
先ず、図７〜図９は、プロテクター本体１の裏面10側の部材の製法の説明図であり、68は平面状（アルミ製）下型で、66は平板状の（アルミ製）上型であり、上型66は、複数の細長状の押出窓部67…が並列状に形成されている。そして、図７において、裏面材78となる生地と、発泡ウレタン材79と、シート状芯材80（省略する場合もある）とを重ね合わせてワーク75を形成して下型68上に置き、上型66で押圧すると、図８のように、ワーク75は、上型66の各押出窓部67から、横断面山型（かまぼこ型）の突条部15が膨出する。そして、上型66・下型68から取り出したものが、図９に示したように、プロテクター本体１のうちの裏面10側の部材（図６参照）である。
【００２０】
そして、図10において、上述の裏面10側の部材に、発泡ウレタン材77と表て面材76を積層してプレス加工して作成した表て面13側の部材を接着すれば、プロテクター本体１が製造される。
なお、背保護パット２の内面20側の内面材60と発泡ウレタン材61とシート状芯材62（図５参照）も、図７〜図９で説明した同様の製法で成型される。背保護パット２の外面材64（図５参照）・プロテクター本体１の表て面材76（図６参照）は、人工皮革、合成皮革、ポリエチレン、ナイロン、ポリエステル等から成る。
また、背保護パット２の外面25側の製法については、図７の上型66における押出窓部67を大きく（図１の実施例では略五角形状）した上型66を、外面材64と発泡ウレタン材63を積層したものにプレス加工する（図示省略）。すると、図５のように、外面25に緩やかな外縁を有する膨出部が形成される。
【００２１】
図11，図12はプロテクター本体１の他の製法を示す。先ず、発泡ウレタン材77と表て面材76を上型と下型69でプレスして上型のみ取り外し、次いで、図11において、ワーク75（図７参照）を載置する。そして、ワーク75に窓部67付の上型66でプレスすると、図12に示したように、両者が一体になると共に、ワーク75に突条部15…が形成される。このように、図７〜図９で説明した製法に比べて、プロテクター本体１の製造の手間及び時間が短縮される。
【００２２】
そして、図１において、本発明のプロテクターを着用した場合には、背保護パット２が、背中のうちの上述した所定背骨領域８を覆うため、ホームベース上でのタッチプレーの際にランナーと衝突した場合や、キャッチャーフライを捕球する際に仰向けに転倒した場合に、背保護パット２がクッションとなり、所定背骨領域８に与える衝撃を吸収するので、怪我が防がれる。また、打者がバットを空振りして振り抜いた際に、バットの先端がキャッチャーの背中に背後から強打する虞れがあるが、背保護パット２が保護して、怪我が防がれる。また、捕球時に前かがみで座位姿勢である場合に、ファールチップが人体の肩28の後側部28ａに直接当たるのも防止できる。これらのように、キャッチャーの背中や肩28の後側部28ａを保護し、プレー中の安全性が高まる。
【００２３】
そして、プロテクター本体１と背保護パット２は、夫々の突条部15…，５…が左右方向に形成されて、身体（のユニホーム）に引っ掛かるので、激しい動きに対しても、プロテクターが上下に揺れるのが防がれて、スムーズにプレーできる。また、背保護パット２の凹溝７…と、プロテクター本体１の凹溝17…は空気の流通性を良くして、人体の胸部・腹部と背中側の体熱が、凹溝17…，７…を通って左右方向へ逃げて、体温の上昇が抑えられる。
また、両突条部15…，５…は横断面山型に形成されているので、ユニホームとの接触点が山の頂部だけであり総接触面積が小さいので、一層体温の上昇を抑えることができると共に、クッション機能を発揮するので外部（前方と後方）からの衝撃を吸収し、怪我を抑えることができる。
【００２４】
また、本発明のプロテクターによれば、着用者の体型に合わせた締め付け具合にしてプレーし易くできる。即ち、背保持パット２用の取着パット片４と、腰パット３用の取着パット片６を、プロテクター本体１に取付位置変更したり、さらに、連結ベルト39を調節バックル52に締付ける位置を変えて、腰パット３と背保護パット２の保持間隔を自由に変えることができる。
【００２５】
以上のように、本発明に係るプロテクターは、プロテクター本体１と、背保護パット２とを、具備し、背保護パット２は、人体の両肩28，28の後側部28ａ，28ａと、後側部28ａ，28ａに相当する高さから肩甲骨70の下部70ａ付近に相当する高さの上下範囲Ｈの所定背骨領域８を覆うＴ字状乃至Ｙ字状に形成され、背保護パット２は、内面20に複数の左右方向の突条部５が形成されているので、着用者（キャッチャー）がプレー中に仰向けになって背中から地面に転倒した場合や、打者が空振りしたバットが背後から強打してきても、背保護パット２が保護するため、所定背骨領域８に与える衝撃を吸収し、怪我を防ぐことができる。そして、キャッチャーは安心してプレーに専念することができる。
また、背保護パット２の内面20に複数の突条部５…が左右方向に形成されていることから、これらの突条部５…が着用者の（ユニホームの）背中側に引っ掛かるので、激しい動きをしても、プロテクターが上下に揺れるのが防がれる。よって、プレーをスムーズに行うことができる。
【００２６】
また、プロテクター本体１は、裏面10に複数の左右方向の突条部15が形成されているので、突条部15…が、着用者の（ユニホームの）胸・腹側に引っ掛かり、激しい動きをしても、プロテクターが上下に揺れるのが防がれ、プレーをスムーズに行うことができる。
【００２７】
また、背保護パット２の各突条部５は、横断面山型を有し、かつ、上下隣り合う突条部５，５の間には、左右方向へ連続する凹溝７が形成されているので、空気の流通性が非常に良く、人体の背中側の体熱を凹溝７…を通して左右方向へ逃がすことができる。よって、プレー中の体温の上昇を抑えることができる。そして、ユニホームと突条部５…との総接触面積が小さいので、一層体温の上昇要因が減り、着用者は気持ち良くプレーすることができる。
【００２８】
また、プロテクター本体１の各突条部15は、横断面山型を有し、かつ、上下隣り合う突条部15，15の間には、左右方向へ連続する凹溝17が形成されているので、空気の流通性が非常に良く、人体の胸・腹側の体熱を凹溝17…を通して左右方向へ逃がすことができる。よって、プレー中の体温の上昇を抑えることができる。そして、ユニホームと突条部15…との総接触面積が小さいので、一層体温の上昇要因が減り、着用者は気持ち良くプレーすることができる。
【００２９】
また、人体の腰27の後部を覆う腰パット３を備え、腰パット３と背保護パット２とを、保持間隔を変更自在として、連結ベルト39で連結したので、着用者は自分の体型に合うように変更できる。よって、プレーをスムーズに行うことができる。
【図面の簡単な説明】
【００３０】
【図１】本発明に係るプロテクターの実施の一形態を示す背面図である。
【図２】人体における背骨と肩甲骨の配置を説明する正面図である。
【図３】プロテクター本体と取着パット片を示す背面図である。
【図４】背保護パットを示す正面図である。
【図５】背保護パットを示す拡大断面図である。
【図６】プロテクター本体を示す拡大断面図である。
【図７】製造方法を示す説明用要部断面図である。
【図８】説明用要部断面図である。
【図９】型から取り出されたワークを示す要部断面図である。
【図１０】説明用要部断面図である。
【図１１】他の製造方法を示す説明用要部断面図である。
【図１２】説明用要部断面図である。
【符号の説明】
【００３１】
１  プロテクター本体
２  背保護パット
３  腰パット
５  突条部
７  凹溝
８  所定背骨領域
10  裏面
15  突条部
17  凹溝
20  内面
27  腰
28  肩
28ａ  後側部
39  連結ベルト
70  肩甲骨
70ａ  下部
Ｈ  上下範囲
【図１】
2008121143.tif 000003
【図２】
2008121143.tif 000004
【図３】
2008121143.tif 000005
【図４】
2008121143.tif 000006
【図５】
2008121143.tif 000007
【図６】
2008121143.tif 000008
【図７】
2008121143.tif 000009
【図８】
2008121143.tif 000010
【図９】
2008121143.tif 000011
【図１０】
2008121143.tif 000012
【図１１】
2008121143.tif 000013
【図１２】
2008121143.tif 000014